(57)【要約】【課題】  クライアントサーバシステムからなるプロセス監視システムにおいて、画像ハードコピーから、出力したクライアントコンピュータが判るようにする。【解決手段】  クライアントコンピュータの画像ハードコピーを出力する際に、クライアントコンピュータの関連情報を画像ハードコピーに合成出力する。【効果】  不特定多数のクライアントコンピュータのいずれかから画像ハードコピーを出力したとき、その紙面からクライアントコンピュータを特定でき、また、関連する情報を取得することができる。【選択図】  図１
2005339473.tif 000002
【特許請求の範囲】
【請求項１】
サーバコンピュータとネットワークを介して接続した複数のクライアントコンピュータと、前記ネットワークに接続され前記各クライアントコンピュータのディスプレイ装置上に表示中の画像をコピープリント可能なプリンタ装置を備えたプラント監視システムにおいて、前記クライアントコンピュータからプラントの監視画像のハードコピー出力指示がなされたとき、当該クライアントコンピュータに関連する付加情報を、画像データに加えて合成編集しプリントアウトすることを特徴とするプラント監視システムのハードコピー出力方法。
【請求項２】
サーバコンピュータとネットワークを介して接続した複数のクライアントコンピュータと、前記ネットワークに接続され前記各クライアントコンピュータのディスプレイ装置上に表示中の画像をコピープリント可能なプリンタ装置を備えたプラント監視システムにおいて、前記クライアントコンピュータから前記クライアントコンピュータのディスプレイ装置に表示されたプラントの監視画像のハードコピー出力指示がなされたとき、ディスプレイ装置上には表示されない当該クライアントコンピュータに関連する付加情報を、前記クライアントコンピュータ又は前記サーバコンピュータから収集し、これをプラントの前記監視画像の画像データに加えて合成編集し、同一の紙面上にプリントアウトすることを特徴とするプラント監視システムのハードコピー出力方法。
【請求項３】
請求項１又は２において、ハードコピー出力指示がなされたクライアントコンピュータを識別するための情報を同時に合成編集し、プリントアウトすることを特徴とするプラント監視システムのハードコピー出力方法。
【請求項４】
請求項１〜３のいずれかにおいて、ハードコピー出力指示がなされたクライアントコンピュータのオペレーティングシステムのソフトウエア情報を合成編集し、プリントアウトすることを特徴とするプラント監視システムのハードコピー出力方法。
【請求項５】
請求項１〜４のいずれかにおいて、ハードコピー出力指示がなされたクライアントコンピュータのディスプレイ装置上に表示中のＷｅｂ画像に対応して予め登録されたサーバコンピュータに記憶されている情報を取得し、この情報を合成編集し、プリントアウトすることを特徴とするプラント監視システムのハードコピー出力方法。
【請求項６】
サーバコンピュータとネットワークを介して接続した複数のクライアントコンピュータと、これらのクライアントコンピュータのディスプレイ装置上に表示中の画像をコピープリント可能に前記ネットワークに接続されたプリンタ装置を備えたプラント監視システムにおいて、前記サーバコンピュータに設けられ前記クライアントコンピュータのディスプレイ装置に表示された画像情報を記憶する画像情報記憶手段と、前記サーバコンピュータに設けられ前記クライアントコンピュータに関係する情報を記憶するクライアントコンピュータ情報記憶手段と、これらの記憶手段に記憶された画像情報とクライアントコンピュータ関係情報を合成する画像合成手段と、この合成手段で合成した画像を前記プリンタ装置にプリントさせるプリンタドライバを備えたことを特徴とするプラント監視システムのハードコピー出力装置。
【請求項７】
サーバコンピュータとネットワークを介して接続した複数のクライアントコンピュータと、これらのクライアントコンピュータのディスプレイ装置上に表示中の画像をコピープリント可能に前記ネットワークに接続されたプリンタ装置を備えたプラント監視システムにおいて、前記サーバコンピュータに設けられ前記クライアントコンピュータのディスプレイ装置に表示された画像情報を記憶する画像情報記憶手段と、前記サーバコンピュータに設けられ前記ディスプレイ装置上には表示されない前記クライアントコンピュータに関係する情報を記憶するクライアントコンピュータ情報記憶手段と、これらの記憶手段に記憶された画像情報とクライアントコンピュータ関係情報を合成する画像合成手段と、この合成手段で合成した画像を前記プリンタ装置に同一の紙面上にプリントさせるプリンタドライバを備えたことを特徴とするプラント監視システムのハードコピー出力装置。
【請求項８】
請求項６又は７において、前記クライアントコンピュータ情報記憶手段は、前記クライアントコンピュータを識別するための識別情報を記憶する手段を含み、前記画像合成手段は、前記識別情報を含めて合成する手段を含むことを特徴とするプラント監視システムのハードコピー出力装置。
【請求項９】
請求項６〜８のいずれかにおいて、前記クライアントコンピュータ情報記憶手段は、前記クライアントコンピュータのオペレーティングシステムのソフトウエア情報を記憶する手段を含み、前記画像合成手段は、前記ソフトウエア情報を含めて合成する手段を含むことを特徴とするプラント監視システムのハードコピー出力装置。
【請求項１０】
サーバコンピュータとネットワークを介して接続した複数のクライアントコンピュータと、これらのクライアントコンピュータのディスプレイ装置上に表示中の画像をコピープリント可能に前記ネットワークに接続されたプリンタ装置を備えたプラント監視システムにおいて、前記サーバコンピュータに設けられ前記クライアントコンピュータのディスプレイ装置に表示された画像情報を記憶する画像情報記憶手段と、前記サーバコンピュータに設けられ前記クライアントコンピュータのディスプレイ装置に表示されたＷｅｂ画像に対応してＷｅｂ画像対応情報を予め記憶したＷｅｂ画像対応情報記憶手段と、前記サーバコンピュータに設けられ前記ディスプレイ装置上には表示されない前記クライアントコンピュータに関係する情報を記憶するクライアントコンピュータ情報記憶手段と、これらの記憶手段に記憶された画像情報，クライアントコンピュータの識別情報，及び／又はＷｅｂ画像対応情報を合成する画像合成手段と、この合成手段で合成した画像を前記プリンタ装置に同一の紙面上にプリントさせるプリンタドライバを備えたことを特徴とするプラント監視システムのハードコピー出力装置。
【発明の詳細な説明】
【技術分野】
【０００１】
本発明は、複数のクライアントコンピュータが接続されたプラント監視システムに関し、特に、クライアントコンピュータのディスプレイ装置の表示内容をプリンタへイメージ出力するハードコピー出力方法及び装置に関する。
【背景技術】
【０００２】
プラントの運転状態を監視するため、プラントからセンサーによって得られる各種のプロセスデータをコンピュータを用いて所定の演算処理を行い、これをディスプレイ装置を用いて表示するプラント監視システムは、広く知られ、また実用化されている。そして、このプラント監視システムでは、一般にプラント状態の記録、あるいはプロセスデータの管理のために、ディスプレイ装置の画像をそのままのイメージでプリントするハードコピーが行われている。
【０００３】
この従来技術として、例えば特許文献１には、プラント監視装置において、ディスプレイ装置に表示中の画像に関係するプラントの状態情報を、相互に重って欠落しないように合成編集してプリントアウトすることが開示されている。
【０００４】
【特許文献１】特開平６−１１１１６２号公報（全体）
【発明の開示】
【発明が解決しようとする課題】
【０００５】
しかしながら、上記の従来技術のハードコピー装置においては、記録として残すことができるハードコピーの情報の対象は、ディスプレイ装置の画像上に出力されたプラント状態やプロセスデータの情報と、これらの情報を管理するためのコピーの日付や時刻、コピーのページ数、現在実施している試験名称等であった。
【０００６】
今日、インターネットの飛躍的な進歩に伴ない、プラント監視システムの分野においても、クライアントサーバシステムをベースとしたインターネット方式、つまりＷｅｂ画像によるプラント監視システムが主流になろうとしている。インターネット方式を採用することにより、専用のディスプレイ装置という特定のハードウエアを準備・購入するという物理的かつ金額的な制約なしに、通常のパソコンから、プラント監視に関する情報にアクセスすることができる。したがって、画期的に大多数の人が、プラント監視システムを利用することができ、その情報の恩恵に与ることができる。
【０００７】
しかしながら、多数のクライアントコンピュータがプラント監視システムで動作しているため、Ｗｅｂ画像上に表示されたデータの不具合の原因解明が遅れてしまうという問題が発生している。すなわち、データの不具合をシステム保守員や製作メーカに連絡するために出力されたハードコピーからは、その不具合がどのクライアントコンピュータで発生した不具合であるのか判らない。また、その不具合がどのようなオペレーティングシステム上で動作して発生したものなのかを知ることができない場合が多く、不具合の原因解明が遅れてしまうのである。
【０００８】
本発明は、クライアントコンピュータの画像のハードコピーから、システム保守員や製作メーカが、クライアントコンピュータに関連する情報を得ることができるプラント監視システムのハードコピー出力方法又は装置を提供することを目的とする。
【課題を解決するための手段】
【０００９】
本発明の一実施形態においては、サーバコンピュータとネットワークを介して接続された複数のクライアントコンピュータと、これらのクライアントコンピュータのディスプレイ装置上に表示中の画像をコピープリント可能なプリンタ装置を備えたプラント監視システムにおいて、クライアントコンピュータのディスプレイ装置に表示された画像データに加えて、当該クライアントコンピュータに関連する付加情報を合成編集し、同一の紙面上にプリントアウトする。
【００１０】
本発明の他の実施形態においては、クライアントコンピュータのディスプレイ装置に表示された画像データに加えて、当該クライアントコンピュータのオペレーティングシステムのソフトウエア情報を合成編集し、同一の紙面上にプリントアウトする。
【００１１】
具体的な一実施形態においては、クライアントコンピュータにおいて、ハードコピー出力要求があったときに、クライアントコンピュータの（１）コンピュータ名と、（２）ＩＰアドレス、…（４）オペレーティングシステム、（５）ブラウザ、…を取得し、これを画像情報に合せてサーバコンピュータに送信し、サーバコンピュータのプログラム処理によって合成編集し、プリンタ装置にプリントアウトする。
【００１２】
また、他の具体的な実施形態においては、クライアントコンピュータからハードコピー出力要求があったときに、クライアントコンピュータで活性状態にあるＷｅｂ画像の画像名称を取得し、これを画像情報に合せてサーバコンピュータに送信し、サーバコンピュータのプログラム処理によって、予めＷｅｂ画像に対応して記憶しておいたサーバコンピュータ内の情報を取得し、これをプログラム処理によって合成編集し、Ｗｅｂ画像、Ｗｅｂ画像関連情報、及び該当クライアントコンピュータ関連情報を同一紙面上にプリントアウトする。
【発明の効果】
【００１３】
本発明によれば、ハードコピーのプリントアウトよりクライアントコンピュータを特定することが可能となる。
【００１４】
本発明の一実施形態によれば、プリントアウトされた画像に表示されている情報源となっているクライアントコンピュータに関する情報を同時に参照することができ、ハードコピーによって連絡された不具合の関連情報も同時に取得することができ、障害解析を容易に行うことが可能である。
【００１５】
また、本発明の他の実施形態によれば、多様なオペレーティングシステムやブラウザソフト上で動作する複数のクライアントコンピュータにおいて、出力されたハードコピーによって、ネットワーク上のコンピュータを特定することができる。
【００１６】
さらに、本発明の他の実施形態によれば、Ｗｅｂ画像の表示出力環境を特定することができ、障害解析時のハードコピーからの収集情報の価値を向上させ、問題解決の迅速化を図ることができる。
【００１７】
本発明のその他の目的と特徴は、以下に述べる実施形態の説明から明らかにする。
【発明を実施するための最良の形態】
【００１８】
以下に、図面に基づき本発明の実施形態を説明する。
【００１９】
図１は、本発明の一実施形態によるプラント監視システムの全体構成を示している。すなわち、プラント監視システム１は、３つのプラント２１〜２３を監視対象としている。各プラント２１〜２３の運転状態を検知するためのセンサー類が配置されており、これらのセンサー類により検知されたプロセスデータは、プロセス入出力装置を備えるプロセスコントローラ３１〜３３によって、プラント監視システム１に取り込まれる。取り込まれたプロセスデータは、各プロセスコントローラ３１〜３３によって設備制御がなされるとともに、それらのデータはプラント運転員の運転監視情報として、ローカルネットワーク４を介して上位に位置するサーバコンピュータ５へ伝送される。これらの運転監視情報は、サーバコンピュータ５内のファイルにプラント情報として蓄積される。
【００２０】
プラント運転員、製造技術者、あるいは製造管理責任者は、サーバコンピュータ５にインターネット６によって接続されたクライアントコンピュータ７により、プラント２１〜２３の運転状態を把握することができる。すなわち、パソコン７のディスプレイ装置７１の画像によって、サーバコンピュータ５に格納されているプラント情報を参照することにより、プラントの運転状態を把握する。ディスプレイ装置７１の画像についてのハードコピー機能は、逐次変化するプラントの状態において、特異的な状態が発生したときに、その状態を記録する目的で広く利用されている。プリンタ装置８は、ローカルネットワーク４又はインターネット６に接続され、クライアントコンピュータ７からのプリントアウト指示により、ディスプレイ装置７１に表示中の画像をハードコピーする。この画像ハードコピー機能は、プラント監視システム１の計算機システムとしての障害発生時に、そのエビデンスとして、きわめて重要な役割を持っている。また、計算機システムの技術に精通していない運転員にとって、計算機システムで発生した不具合を連絡する情報伝達手段としても、きわめて有効な物的証拠となっている。
【００２１】
画像ハードコピー機能は、クライアントコンピュータ７のキーボードに設置されているファンクション・キーの押下により実行される。まず、クライアントコンピュータ７に実装されている画像イメージ読取処理７２が実行され、ディスプレイ装置７１の画像を読み取り、これをサーバコンピュータ５へ伝送し、その画像メモリ５１へ一旦格納する。画像メモリ５１の情報は、プリンタドライバ５２へ転送され、ここでプリンタ８へ出力できるデータに変換され、インターネット６（又はローカルネットワーク４）を介してプリンタ装置８へ送られ、プリントアウトされる。
【００２２】
本発明の一実施形態におけるハードコピー出力方法では、クライアントコンピュータ７でプリントアウトを要求するファンクション・キーが押下されたとき、画像イメージ読取処理７２を実行すると同時に、端末情報取得処理７３を実行する。この端末情報取得処理７３は、ネットワークＯＳが提供するシステム関数を用いて、クライアントコンピュータ７のネットワークに関する個別情報を取得するものである。具体的には、（１）コンピュータ名称、（２）ＩＰアドレス、（３）ＭＡＣアドレスなどである。取得した情報は、サーバコンピュータ５の情報メモリ５３へ伝送し、サーバコンピュータ５のデータ合成処理５４を動作させる。データ合成処理５４は、画像イメージが格納されている画像メモリ５１のデータと、情報メモリ５３のデータを取り出し、これを合成編集する。合成編集とは、両者のデータの欠損が発生しないように、レイアウトの決定や任意の縮小操作を行い、１枚の紙面上に両者の情報を適切に配置することを意味する。合成編集されたデータは、プリンタドライバ５２へ送られ、プリンタ装置８にてプリントアウトされる。
【００２３】
図２は、本発明の一実施形態によるプリント出力結果の一例を示す。ハードコピーの紙面２００には、ディスプレイ装置７１に表示された画像印刷エリア２０１と、クライアントコンピュータ７の関連情報エリア２０２とがある。すなわち、プリントアウトされた紙面２００上の画像印刷エリア２０１に、本来の画像ハードコピーとしての画像イメージ情報が印刷され、関連情報エリア２０２に、クライアントコンピュータ７を識別するための情報が印刷されている。この関連情報から、この画像がどのコンピュータで出力されたものかを容易に特定することができる。この例では、クライアントコンピュータ７を識別するための情報として、前述したように、（１）コンピュータ名称、（２）ＩＰアドレス、及び（３）ＭＡＣアドレスを印刷している。
【００２４】
図３は、本発明の他の実施形態によるプラント監視システムの全体構成を示している。図１と同一機能部には同一符号を付け、重複説明は避ける。この実施形態は、クライアントコンピュータ７のオペレーティングシステムに関する情報を出力する場合のハードコピー出力方式の内部構成をブロック図で示したものである。図１で説明したと同様に、クライアントコンピュータ７でプリントアウト要求のファンクション・キーが押下されたときに、画像イメージ読取処理７２を実行すると同時に、ＯＳ情報取得処理７４を実行する。このＯＳ情報取得処理７４は、オペレーティングシステムが提供するシステム関数を用いて、クライアントコンピュータ７のオペレーティングシステムに関する情報やネットワーク関連ソフトウエアに関する情報を取得するものである。具体的には、Ｗｉｎｄｏｗｓ（登録商標）のＯＳのバージョン情報や、ブラウザソフトの種類とそのバージョン、環境変数などである。取得した情報は、サーバコンピュータ５の情報メモリ５３へ伝送し、サーバコンピュータ５のデータ合成処理５４を動作させる。データ合成処理５４は、画像イメージが格納されている画像メモリ５１のデータと、情報メモリ５３のデータを取り出し、これを合成編集する。合成編集されたデータは、プリンタドライバ５２へ送られ、プリンタ装置８にてプリントアウトされる。
【００２５】
図４は、図３の実施形態によるプリント出力結果の一例を示す。ハードコピーの紙面４００には、ディスプレイ装置７１へ表示された画像印刷エリア４０１と、クライアントコンピュータ７の関連情報エリア４０２とがある。すなわち、プリントアウトされた紙面４００上の画像印刷エリア４０１に、本来の画像ハードコピーとしての画像イメージ情報が印刷され、関連情報エリア４０２に、クライアントコンピュータ７のオペレーティングシステムについての情報が印刷されている。これにより、この画像がどのようなシステム環境下で出力されたものかを容易に特定することができる。
【００２６】
図５は、本発明のさらに他の実施形態によるプラント監視システムの全体構成を示している。図１，２と同一機能部には同一符号を付け、重複説明は避ける。この実施形態は、クライアントコンピュータ７が出力したＷｅｂ画像に対応して予め定義しておいた収集情報を出力する場合のハードコピー出力方式の内部構成をブロック図で示したものである。図１，２で説明したと同様に、クライアントコンピュータ７でプリントアウト要求のファンクション・キーが押下されたときに、画像イメージ読取処理７２を実行すると同時に、端末情報及び画像情報取得処理７５を実行する。端末情報及び画像情報取得処理７５は、図１と同様にクライアントコンピュータ７のネットワークに関する個別情報を取得するほか、ディスプレイ装置７１上で表示されている画像の名称を取得するものである。具体的には、図１の実施例と同一の前述（１）〜（３）のほかに、（４）現在温度、（５）目標温度、及び（６）補正温度などである。取得した情報は、サーバコンピュータ５の情報メモリ５３及び５５へ伝送し、サーバコンピュータ５の関連情報取得処理を動作させる。関連情報取得処理とは、情報メモリ５３より表示画像情報を取り込み、関連情報取得定義テーブル５６から該当する画像で予め定義されている取得定義を取り出し、これに従って情報収集を行い、これを関連情報メモリ５５に格納する処理である。サーバコンピュータ５は、この端末及びＷｅｂ画像に関連した情報に基き、データ合成処理５４を動作させる。データ合成処理５４は、画像イメージが格納されている画像メモリ５１のデータと、関連情報メモリ５５のデータを取り出し、これを合成編集する。合成編集されたデータは、プリンタドライバ５２へ送られ、プリンタ装置８にてプリントアウトされる。
【００２７】
図６にその出力結果の一例を示す。ハードコピーの紙面６００には、ディスプレイ装置７１に表示された画像印刷エリア６０１と、クライアントコンピュータ７の関連情報及びＷｅｂ画面関連情報エリア６０２とがある。すなわち、プリントアウトされた紙面２００上の画像印刷エリア２０１に、本来の画像ハードコピーとしての画像イメージ情報が印刷され、関連情報エリア２０２に、クライアントコンピュータ７を識別するための情報及びＷｅｂ画面関連情報が印刷されている。これにより、この画像に表示している情報に関連するサーバコンピュータ５の内部の情報を同時に知ることができ、不具合時の障害解析を容易にすることができる。
【００２８】
以上の実施形態によれば、多様なオペレーティングシステムやブラウザソフト上で動作する不特定多数のクライアントコンピュータにおいて、出力されたハードコピーによって、ネットワーク上のコンピュータを特定することができる。また、Ｗｅｂ画像の表示出力環境を特定することができ、障害解析時のハードコピーからの収集情報の価値を向上させることができる。
【００２９】
さらに、出力されるハードコピーから、サーバコンピュータで実行されたプログラム処理に関与するデータを同時に取得することができ、障害解析時のハードコピーからの収集情報の価値を向上させることができ、問題解決の迅速化を図ることができる。
【図面の簡単な説明】
【００３０】
【図１】本発明の一実施形態によるプラント監視システムの全体構成ブロック図。
【図２】本発明の一実施形態によるプリント出力結果の一例図。
【図３】本発明の他の実施形態によるプラント監視システムの全体構成ブロック図。
【図４】図３の実施形態によるプリント出力結果の一例図。
【図５】本発明のさらに他の実施形態によるプラント監視システムの全体構成ブロック図。
【図６】図５の実施形態によるプリント出力結果の一例図。
【符号の説明】
【００３１】
１…プラント監視システム、２１〜２３…プラント、３１〜３３…プロセスコントローラ、４…ローカルネットワーク、５…サーバコンピュータ、５１…画像メモリ、５２…プリンタドライバ、５３…情報メモリ、５４…データ合成処理、５５…関連情報メモリ、５６…関連情報取得定義テーブル、６…インターネット、７…クライアントコンピュータ、７１…ディスプレイ装置、７２…画像イメージ読取処理、７３…端末情報取得処理、７４…ＯＳ情報取得処理、７５…端末情報及び画像情報取得処理、８…プリンタ装置。
【図１】
2005339473.tif 000003
【図２】
2005339473.tif 000004
【図３】
2005339473.tif 000005
【図４】
2005339473.tif 000006
【図５】
2005339473.tif 000007
【図６】
2005339473.tif 000008